(57)【要約】      （修正有）【課題】太めの小枝葉の切り取り易く枝葉が鋸刃に絡まりにくくかつ高所の刈込み作業の軽減化を計ることのできる高所小枝葉切り機を提供する。【解決手段】長い操作棹の先端部に動力による丸鋸刃１の回転部を設け、鋸刃１の部分の側面とカバーの突起部を密着し、操作棹を支える支持棹を設け支持接点部をスライド可能とした高所小枝葉切り機。【選択図】図１
2015096038.tif 000002
【特許請求の範囲】
【請求項１】
接続により伸縮尺からなる操作棹、操作棹の基端側に設けられる動力源を、操作棹内に挿入された伸縮自在な接続シャフトに接続、操作棹先端側に設けられたヘッド角度調整部のユニバーサルジョイントを介し回転変換ギャーに接続、回転変換部に丸鋸刃カバー、カバー内のギャシャフトに変形型丸鋸刃をセット、操作棹側に本機の上げ下げ可能なスライド方式の本機支持棹を設けた事を特徴とする高所小枝葉切り機。
【請求項２】
前記丸鋸刃は、葉を切る刃型、小枝を切る刃型を兼ねる形状で、葉を切る刃型は切り込みが深くしかも小枝に食い込まぬ、小枝をなぞる形状でありその刃型の先端部に小枝切り用の細かな刃を数ケ所設けた刃型を丸鋸刃の外周面に配した形状であり、丸鋸刃と鋸刃カバーとの密の兼ね合い、突起部を設けた鋸刃カバーで高所の小枝葉を切る事を特徴とした請求項１の高所小枝葉切り機。
【請求項３】
前記操作棹に設けた、本機支持棹は操作棹の上下作動が瞬時に行え、操作棹と支持棹の作用広狭が出来る構成とし本機を支える、本機支持棹スライド部にスライドストッパー材、ストッパー支持材、引きバネ、支点とで構成、ストッパー材を紐等で操作する事によりストッパーがＯＦＦとなり操作棹の上下作動が行える事を特徴とする請求項１または請求項２のいずれかに記載の高所小枝葉切り機。
【発明の詳細な説明】
【技術分野】
【０００１】
本発明は、樹木の高所の小枝葉を切る高所小枝葉切り機に関するものである。
【背景技術】
【０００２】
従来、街路樹や庭木、垣根等の高所の小枝葉切り作業は、脚立等の足場を利用し、剪定鋏や手引き鋸切り等で小枝切り作業を行う又、高所小枝切り具では鋸刃、鋏等で作業する、又、電動による枝葉の刈り込み機（ヘッジトリマー）等で枝葉刈込を行うとうがある又、動力による丸鋸刃を使用したものもある、この動力式の高所の枝切り機の先行技術として、動力により丸鋸刃を回転させ枝切り作業を行う構成としたものもある。この物にあっては、丸鋸刃のカバー外周の一部に枝受け突起を両側に設けたものがあり、この突起により丸鋸刃の回転による枝逃げを防止し効率よく作業ができるようにした（例えば、特許文献１参照）。
【０００３】
然しながら、この動力式のものにあっては、操作棹の中心上にＵ字状のガイドが設けてあり枝切り開口部となっている、このため切り落とされた枝葉が作業者の近くに落ち易く
又、切り落とされようとしている枝先が垂れ下がる事により、鋸刃に絡まり切りづらい、切り屑が絡まる等の難点が生じる、又、枝葉刈り込み機にあっては太めの小枝は切りづらい等の欠点がある。
【先行技術文献】
【特許文献】
【０００４】
【特許文献１】特開平１−４６５８３号公報
【発明の概要】
【発明が解決しようとする課題】
【０００５】
以上のような欠点に鑑み、本発明は、太めの小枝葉の切り取り小枝葉の絡まり等を解決し、且つ、高所の刈込を安易に行うために操作棹の長さ調整が簡単に、そして本機を支える支持棹を設ける事により作業の軽減化を計り高所小枝葉切り機を提供することを目的としている。
【課題を解決するための手段】
【０００６】
上記目的を達成するために、本発明は上記記載の丸鋸刃の利点とヘッジトリマー（バリカン刃）の長所を取り合わせることにより、切りづらい太めの小枝葉を切りやすくなるような構成とし、小枝葉を切りやすいような形状に丸鋸刃の刃先を改良、又、枝葉の切り屑の絡まりを防止する構造とする、そして作業の軽減化のために本機を支える支持棹を設ける構成とした。
【０００７】
また、高所の小枝葉切りがスムースに行える考案として、丸鋸刃のカバーの開口部（小枝葉カット開口部）を斜め上方部に設ける、又、垣根等の最上部の上方向に伸びる小枝葉を切る手段として、操作棹の上端部を角度傾斜ができる構造とする事により小枝葉をカットしやすくなる。
【０００８】
小枝葉のカットを安易に行う構成として、丸鋸刃の形状を小枝が切れる、葉がカット出来る形状にすることが必要でありその方法として、葉がカットしやすい刃型形状にすると共に小枝が引き込められない（刃が強く食い込む）刃型形状にする必要があり、この刃型形状の先端部（丸鋸刃の外周）に小枝切り用の細かい刃を形成、この形状の刃型を丸鋸の外周面に多数設ける事により小枝葉のカットが安易に行える。また、小枝葉やその切り屑が絡まぬ構造として、丸鋸刃のカバーの開口部の一端に突起部を設け（小枝葉カット部位）丸鋸刃の側面（カバー側）と密着接触させ丸鋸刃表面軸側に丸座をセットし（丸鋸刃の浮き上がり防止）カット部位に、小枝葉の食い込みを防止し、さらに鋸刃に絡まれた屑のはけ口を鋸刃カバーの一部にもうける。
【０００９】
高所、中所の作業がスムースに行えるような構成として、操作棹の下端部に設けた動力機の回転力を、上端部の丸鋸刃を回転するための回転変換ギャー部に接続するための手段として、太、細のパイプ組み合わせで、シャフトに使用、太、細のパイプシャフト（伸縮管）には長さ方向の溝となるような凹凸を設けた組み合わせにより、伸縮自在なシャフトとなり丸鋸刃を回転する。又、操作棹も同様に太、細のパイプを使用の.組み合わせ（伸縮管）とし、シャフトと同時に伸縮自在となるように構成されている、操作棹の伸縮は操作棹スライドジョイント留め具で細パイプ棹（先端棹）に設けられた数か所の穴の随所に合わせ長さ調整を行う。又、この組み合わせ方法は既存の方法でもよい。    
【００１０】
又、高い垣根などの同じような刈込作業が続く場合作業の軽減化を計るために本機操作棹に本機支持棹を設ける、操作棹と支持棹の取りつけ部は瞬時に操作棹が刈込位置の高さ変更が出来るように本機支持用スライド部材を設けた。スライド部材の構成はスライド部材上端に操作棹（パイプ棹）を囲むリング形状の穴を開けた板数枚を重ねて構成されたスライドストーパ材、ストーパ材の一方はスライド部材の支点に、また片方は引きバネを設け支点側のスライド部材の下方にセットする。スライド部材に連結されたリング形状の穴の開いた数枚重ねの板が引きバネの作用により傾斜しスライドがストップする、また、ストーパの作動は支点側に設けた引きバネの作用を替える為の引き紐が設けられ紐を引く事により操作棹がスライド自在となる。又、本機支持棹取りつけ部材を設けたスライド部材、この取りつけ部材は支持棹と操作棹の角度が広狭出来る形状であり(支持棹の地上接点部と操作棹の間)、操作棹と支持棹との作業のしやすい位置を設ける事ができる。また、支持棹の着脱は、取りつけ部をネジ式等で簡単に行え、また作業内容により支持棹なしで行え、又、枝切り作業の場合は丸鋸刃の交換(枝切り用)により効率良い作業が行えるようになる。
【発明の効果】
【００１１】
上述したように本発明の高所小枝葉切り機は、高所から中所に至る所の小枝葉切りが自在にでき、又、切り屑が絡みがたく、操作棹の長さ調整が簡単にでき本機を支える支持棹により作業者の荷重負担が軽減されるとともに、移動に小回りが出来、且つ、動力機の小型化によりこれらの作業が安定的に効率よく行うことができる。
【図面の簡単な説明】
【００１２】
【図１】本発明を実施するための全体概要図
【図２】本体先端部の丸鋸刃の形状、丸鋸刃カバー、ギャー部、の正面図と背面図
【図３】回転変換ギャー部、丸鋸刃と丸鋸刃カバーの接点を示す断面概要図
【図４】丸鋸刃、丸鋸刃カバーを示す拡大部分図
【図５】丸鋸刃の刃型形状を表す拡大部分図
【図６】操作棹を支持する支持棹取りつけスライド部材
【図７】スライド部ストッパー材、操作棹を示す図
【図８】操作棹上部の角度変更部を表す側面図、正面図
【図９】回転動力伝達を表す違径組み合わせ軸、ユニバーサルジョイント概要図
【図１０】違径組み合わせ軸（伸縮）を示す斜視図
【発明を実施するための形態】
【００１３】
実施図、図１は、動力機８に動力連結具１０を介し太パイプ操作棹４に、操作棹ジョイント留め具１１を介し細パイプ操作棹５に接続され操作棹角度変更部２（ユニバーサルジョイント部）を経て回転変換ギャー部９に接続、動力８を操作棹内に挿入された違径の                    組み合わせパイプシャフト（伸縮軸）に接続回転変換ギャーを介し、丸鋸刃１を回転部に設けて接続された高所小枝葉切り機が構成される。
【００１４】
図２、鋸刃回転部正面図、背面図である、図３は断面概略図、操作棹５に連結された回転変換部９内のギャー（ベベルギア）回転部にセットされ回転する変形刃型丸鋸刃１、また、丸鋸刃１Ａは葉を切る角度、この刃型は小枝に強く食い込むのを避ける形状の刃型にし、その刃型の先端の部分に小枝切り用の切り刃を設ける（図２、図４、図５略図参照）鋸刃カバー６、鋸刃カバーには６Ａ、６Ｂ、６Ｃ、６Ｄと小枝葉カットする為の部位が設けられ、６Ａは鋸刃との密着（隙間）をなくす部位であり、６Ｂは６Ａに対しての丸鋸刃の歪みを防止し小枝葉の絡みを防ぐ、６Ｄは切り屑の排出口であり６Ｃは小枝葉挿入口となっている、尚、丸鋸刃１には丸鋸刃ぶれ防止補強材１Ｂがセットされ、動力の回転はパイプ軸を介して回転変換ギャー部９で（内部図表示無し）丸鋸刃を回転する。
【００１５】
図６、図７は操作棹を支持する棹で操作棹の上げ下げをスライドとストッパーを操作するスライド部材３で、本機支持棹７、７Ａが設けられ、スライド部材３に、スライドストッパー材３Ａ、ストッパー支持材３Ｂ、引きバネ３Ｃ、支点３Ｄで構成されストッパー支持材３Ｂに設けた引き紐１４、紐引き手材１５を引く事によりバネが引かれストッパーがＯＦＦとなりパイプ操作棹５の上げ下げが出来、支持棹の使用は短時間や簡易な作業の時は取り離して使用が可能な構造となっている（ネジ、その他の既存の方法、図表示なし）。
【００１６】
図８は、上向きの小枝葉を切るために、丸鋸刃の角度を変えるユニバーサルジョイント２、部であり、角度支持材２Ａ、角度変更支持材２Ｂ、ジャバラ材２Ｃで構成され操作棹５に連結され、また、角度支持材の内部は、ユニバーサルジョイント２でパイプ軸に連結されている。図９は、動力伝達部材で小型動力機（電動ドリル等）８の動力をシャフト１２、１３（伸縮軸）、ユニバーサルジョイント２を介し回転変換ギャー部９（ベベルギア）に接続ギア部に設けた丸鋸刃を回転する。図１０はパイプ伸縮軸１２Ａ、１３Ａの凹凸の組み合わせの斜視図で、違径のあそび空間を設け伸縮自在とする。尚軸に設けた数か所にベアリング（図示せず）をもうけてある。                   
【産業上の利用可能性】
【００１７】
本発明の高所小枝葉切り機は、造園業、垣根、庭木など幅広い範囲で利用できる。
【符号の説明】
【００１８】
１  鋸刃    (１Ａ、１Ｂ)
２  ユニバーサルジョイント部    （２Ａ、２Ｂ、２Ｃ）
３  本機支持スライド部材    (３Ａ、３Ｂ、３Ｃ、３Ｄ)
４  太パイプ棹（伸縮軸）
５  細パイプ棹（伸縮軸）
６  鋸刃カバー    (６Ａ、６Ｂ、６Ｃ、６Ｄ)
７  本機支持棹    (７Ａ)
８  動力機
９  回転変換ギャー部(べベルギア)
１０  動力連結具
１１  操作棹スライドジョイント留め具
１２  太パイプシャフト（伸縮軸）(１２Ａ）
１３  細パイプシャフト（伸縮軸）(１３Ａ)
１４  引き紐
１５  紐引手材
１Ａ  小枝葉カット変形鋸刃先、１Ｂ  鋸刃補強材
２Ａ  角度支持自在材、  ２Ｂ  角度変更支持材、  ２Ｃ  ジャバラ材
３Ａ  スライドストッパー材、  ３Ｂ  ストッパー材支持材、３Ｃ  引きバネ、  
３Ｄ  ストッパー材支点
６Ａ  小枝葉カット支持鋸刃接点材、  ６Ｂ  鋸刃ブレ防止材、  ６Ｃ  小枝葉挿入口
６Ｄ  葉屑排出口
７Ａ  本機支持棹取りつけ材
【図１】
2015096038.tif 000003
【図２】
2015096038.tif 000004
【図３】
2015096038.tif 000005
【図４】
2015096038.tif 000006
【図５】
2015096038.tif 000007
【図６】
2015096038.tif 000008
【図７】
2015096038.tif 000009
【図８】
2015096038.tif 000010
【図９】
2015096038.tif 000011
【図１０】
2015096038.tif 000012